(57)【要約】【課題】発電装置が屋外に設置される場合であっても、バッテリに対する水気の付着による影響を低減することができ、またバッテリがパッケージ内の冷却風の流れを阻害するようなことをなくして高品質で小型に構成できるパッケージ型発電装置を提供すること。【解決手段】ベース４上には、エンジン１と発電機２が載置されている。発電機２の上方には、ベース４上に直接支持された架台５が設けられ、この架台５上に制御盤６が搭載されている。発電機２の始動時に電力を供給するバッテリ１７は、エンジン１の下側に配置して設けられ、ベース４上に固定されている。これらの機器は、防音壁構造を有するパッケージ１２で覆われ、このパッケージ１２に設けられた吸気口１３および排気口１４を介してパッケージ１２内が換気されるようになっている。吸気口１３から流入した冷却風１５は、発電機２およびエンジン１を冷却し、ラジエータ８を通過して排気口１４から放出され、バッテリ１７は吸気口１３か離れた位置で、冷却風１５の流れの影響を受けにくい低い位置に置かれる。【選択図】  図１
2004353461.tif 000002
【特許請求の範囲】
【請求項１】
ベース上に発電機、エンジン、制御盤および前記発電機を始動するバッテリを搭載して周囲をパッケージで覆い、このパッケージに設けた吸気口および排気口を介して前記パッケージ内を換気するパッケージ型発電装置において、前記バッテリを前記エンジンの下側に配置したことを特徴とするパッケージ型発電装置。
【請求項２】
前記制御盤を前記発電機の上方に配置し、前記バッテリを前記制御盤側に寄せて配置したことを特徴とする請求項１に記載のパッケージ型発電装置。
【発明の詳細な説明】
【０００１】
【発明の属する技術分野】
本発明は、ベース上に発電機、エンジンおよび発電機を始動するバッテリを搭載して周囲をパッケージで覆ったパッケージ型発電装置に関するものである。
【０００２】
【従来の技術】
一般に大型の病院やショッピングセンタ等では、自家発電や非常用電源として、あるいは熱電併用としてパッケージ型発電装置を設置することがある。パッケージ型発電装置は、ディーゼル、ガソリン等のエンジンや交流発電機等の発電機をパッケージ内に備え、発電機は、始動時にはバッテリから給電されて駆動され、始動後はエンジンにより駆動されて発電するようになっている。
【０００３】
図２（ａ）は一般的なパッケージ型発電装置の全体を、正面側の側壁を開口して示す正面図、図２（ｂ）は図２（ａ）の側面図である。図２（ａ）および（ｂ）において、エンジン１と発電機２は、水平方向に直結されてそれぞれ防振ゴム３を介してベース４上に載置されている。発電機２の上方には、ベース４上に直接支持された架台５が設けられ、この架台５上に制御盤６とバッテリ７が搭載されている。制御盤６は発電装置を運転制御するものであり、バッテリ７は発電機２に始動時の電力を供給するものである。
【０００４】
エンジン１の側方には、エンジン１の廃熱を冷却水により熱交換するラジエータ８が設けられ、また上方には、排ガスサイレンサー９が設けられている。排ガスサイレンサー９は、フレキシブル配管１０を介してエンジン１に連結され、排気管１１を介して後述するパッケージ外部に連通され、エンジン１を駆動している際に発生する排ガスを消音して外部に排出するようになっている。これらの機器の周囲は、内壁に吸音材を取付ける等の処理を行った防音壁構造を有するパッケージ１２で覆われ、パッケージ１２に設けられた吸気口１３および排気口１４を介してパッケージ１２内が換気されるようになっている。
【０００５】
このパッケージ１２内の換気は、次のようにして行われる。エンジン１が回転することにより図示しないプーリを介して連結されたラジエータファンが回転し、矢印で示す冷却風１５が吸気口１３から吸い込まれる。冷却風１５は、発電機２とエンジン１の表面から放出される熱を冷却しながら流れてラジエータ８を通過する。ラジエータ８は、パッケージ１２内を区分する仕切り壁１６に取付けられており、冷却風１５はラジエータ８部分だけを通過してラジエータ８の冷却水を冷却した後、排気口１４よりパッケージ１２外部へと放出される。
【０００６】
【発明が解決しようとする課題】
ところで、パッケージ１２外部から冷却風１５を取り入れてパッケージ１２内の換気を行うパッケージ型発電装置においては、その設置が屋外である場合、発電装置の運転中に雨水等の水気を含む空気がパッケージ１２内に吸い込まれる可能性がある。パッケージ１２内に水気が浸入すると、パッケージ型発電装置内部にある電気品が絶縁不良による故障を発生し、発電装置が起動不能となるおそれがある。とりわけ、起動することが絶対条件となる非常用の発電装置においては、バッテリ７は、その用途を達成する上で最も重要な電気品である。
【０００７】
上記従来のパッケージ型発電装置において、バッテリ７は、架台５上に設置され、その充電部には絶縁キャップが被せられて水気の付着による故障を回避し、信頼性を確保しているが、以下のような問題がある。
【０００８】
バッテリ７は、パッケージ１２の吸気口１３に近い場所に設置されており、発電装置の運転中にパッケージ１２内の換気が行われて雨水等の水気が浸入すると、充電部に水気が付着する可能性が高く、水気の付着の状態によっては絶縁不良等の故障を発生させるおそれがある。
【０００９】
またバッテリ７は、架台５上に設置されて吸気口１３から流入する冷却風１５の流路上に置かれており、冷却風１５の流れを阻害しているので、バッテリ７の周囲に冷却風１５の流路を確保するためにパッケージ１２が大型化するという問題がある。
【００１０】
さらにバッテリ７は、架台５上の高い場所に設置されているため、点検、交換などのメンテナンス性が悪く、しかもパッケージ１２内の高い場所は、周囲温度も若干高いことにより、また架台５を介して増幅される振動の影響を受けたりしてバッテリ７の寿命を短くする恐れがある。
【００１１】
本発明は、上記従来技術の問題を解決するためになされたものであり、その目的とするところは、発電装置が屋外に設置される場合であっても、バッテリに対する水気の付着による影響を低減することができ、またバッテリがパッケージ内の冷却風の流れを阻害するようなことをなくして高品質で小型に構成できるパッケージ型発電装置を提供することにある。
【００１２】
【課題を解決するための手段】
上記目的を達成するため、本発明は、ベース上に発電機、エンジンおよび発電機を始動するバッテリを搭載して周囲をパッケージで覆い、このパッケージに設けた吸気口および排気口を介してパッケージ内の空気を換気するパッケージ型発電装置において、バッテリをエンジンの下側に配置したことを特徴とする。
【００１３】
このように構成すれば、バッテリがパッケージの吸気口から離れた位置に置かれ、しかもエンジンが冷却風に対する遮蔽物となるため、冷却風の流入に伴って浸入した雨水等の水気がバッテリに付着することが少なくなり、絶縁不良等の故障の発生を回避してバッテリの信頼性を向上することができる。しかもバッテリが冷却風の流路を塞ぐことがなくなり、冷却風の流路が確保されることにより、パッケージを大型化する必要もなくなる。
【００１４】
この場合、制御盤は発電機の上方に設置し、バッテリはエンジンの下側の制御盤側に寄せて配置することにより、制御盤の操作性を維持し、また設置スペースを大きくすることなく、バッテリと制御盤との配線距離も短くしてバッテリを設置することができる。
【００１５】
【発明の実施の形態】
以下、本発明の実施の形態を説明する。図１（ａ）は本発明によるパッケージ型発電装置の全体を、正面側の側壁を開口して示す正面図、図１（ｂ）は図１（ａ）の側面図である。図１（ａ）および（ｂ）において、ベース４上には、防振ゴム３を介して、直結したエンジン１と発電機２が載置されている。発電機２の上方には、ベース４上に直接支持された架台５が設けられ、この架台５上に発電装置を運転制御する制御盤６が設置されている。発電機２の始動時に電力を供給するバッテリ１７は、ベース４とエンジン１との間の空間を利用してエンジン１の下側に配置して設けられ、ベース４上に固定されている。なお、バッテリ１７は、発電機２の上方に配置された制御盤６に対して、エンジン１の下側の位置で、かつ制御盤６側に寄せて配置することが望ましい。
【００１６】
一方、エンジン３の側方には、エンジン３の廃熱を冷却水に熱交換するラジエータ８が設けられ、また上方には、排ガスサイレンサー９が設けられている。排ガスサイレンサー９は、フレキシブル配管１０を介してエンジン３に連結され、排気管１１を介してパッケージ１２外部に連通され、エンジン３を駆動している際に発生する排ガスを消音して外部に排出するようになっている。
【００１７】
これらの機器は、周囲が内壁に吸音材を取付ける等の処理を行った防音壁構造を有するパッケージ１２で覆われ、このパッケージ１２の発電機２側の側壁に設けられた吸気口１３およびエンジン１側の側壁に設けられた排気口１４を介してパッケージ１２内が換気されるようになっている。
【００１８】
このパッケージ１２内の換気は、次のようにして行われる。エンジン１の回転により図示しないプーリを介して連結されたラジエータファンが回転することによって冷却風１５が矢印で示すように吸気口１３から吸い込まれる。冷却風１５は、発電機２とエンジン１を冷却してパッケージ１２内を区分けする仕切り壁１６に取付けられたラジエータ８を通過し、ラジエータ８を冷却した後、排気口１４よりパッケージ１２外部へと放出される。
【００１９】
従って、本実施の形態においては、バッテリ１７がパッケージ１２の吸気口１３から離れた場所に配置され、かつバッテリ７に対してエンジン１が冷却風１５の流れに対する遮蔽物となるために、発電装置の運転中に冷却風１５の流入に伴ってパッケージ１２内に浸入した雨水等の水気がバッテリ１７に付着しづらくなり、水気の付着による絶縁不良の発生を低減してバッテリ１７の信頼性を向上することができる。
【００２０】
また制御盤６は発電機２の上方の適当な高さ位置に設置されて操作性が維持され、バッテリ１７はエンジン１の下側の制御盤６側に寄せて配置されていることにより、設置スペースを大きくすることなく、バッテリ１７と制御盤６との配線距離も短くしてバッテリ１７を設置することができる。
【００２１】
しかもバッテリ１７は、冷却風１５の流路から離れた位置に置かれるため、冷却風１５の流れを阻害することがなくなり、冷却風の流路が十分に確保されることにより、パッケージ１２を大型化する必要もなくなる。
【００２２】
またバッテリ１７は、ベース４上の低い位置に配置されるため、点検・交換等のメンテナンス性が向上し、さらに周囲温度も若干低くなり、振動も低減されるため、設置環境向上によるバッテリ１７の長寿化が期待できる。
【００２３】
【発明の効果】
以上説明したように、本発明によれば、バッテリをエンジンの下側に配置することにより、バッテリ、ひいては発電装置が雨水等の水気の影響を受けづらくなることにより信頼性の向上が図れ、また冷却風の流れの阻害要因が除かれることによりパッケージの小型化が図れる等、高品質で小型のパッケージ型発電装置を提供することができる。
【図面の簡単な説明】
【図１】（ａ）は本発明によるパッケージ型発電装置の全体を、正面側の側壁を開口して示す正面図、（ｂ）は（ａ）の側面図である。
【図２】（ａ）は一般的なパッケージ型発電装置の全体を、正面側の側壁を開口して示す正面図、（ｂ）は（ａ）の側面図である。
【符号の説明】
１…エンジン
２…発電機
３…防振ゴム
４…ベース
５…架台
６…制御盤
７，１７…バッテリ
８…ラジエータ
９…排ガスサイレンサー
１０…フレキシブル配管
１１…排気管
１２…パッケージ
１３…吸気口
１４…排気口
１５…冷却風
１６…仕切り壁
【図１】
2004353461.tif 000003
【図２】
2004353461.tif 000004